(57)【要約】【課題】光源ランプを挿入する部分に取り付けられた部材の外側部分が高温になるのを抑制することが可能なプロジェクタを提供する。【解決手段】このプロジェクタは、光源ランプ７と、光源ランプ７が内部に収納されているランプ収納部８と、ランプ収納部８を内部に挿入するために設けられた開口部４ｂを含む下部フレーム４（筐体６）と、下部フレーム４の開口部４ｂを下部フレーム４の外部から覆うように取り付けられた蓋部材１１とを備える。また、蓋部材１１は、実質的に密閉空間を構成する中空部１１ｊを含む。【選択図】図５
2008164917.tif 000002
【特許請求の範囲】
【請求項１】
光源ランプと、前記光源ランプが内部に収納されているランプ収納部とを備えるプロジェクタにおいて、
前記ランプ収納部を内部に挿入するために設けられた開口部を含む筐体と、
前記筐体の開口部を前記筐体に外部から覆うように取り付けられた蓋部材とをさらに備え、
前記蓋部材は、
実質的に密閉空間を構成する中空部と、
前記ランプ収納部に対向するように設けられた第１平板部と、
前記第１平板部よりも前記筐体の外側に前記第１平板部と所定の間隔を隔てて対向するように設けられた第２平板部と、
前記第１平板部と前記第２平板部とに交差するように形成された壁部と、
前記蓋部材の前記第１平板部と前記第２平板部とを回動可能に接続する回動接続部と、
前記回動接続部により回動された前記第１平板部と前記第２平板部とを固定するための固定部とを含み、
前記蓋部材の実質的に密閉空間を構成する前記中空部は、前記第１平板部と前記第２平板部と前記壁部とに囲まれる領域に形成され、
前記蓋部材の固定部は、前記第１平板部および前記第２平板部の一方に設けられた係合孔部と、前記第１平板部および前記第２平板部の他方に設けられ、前記係合孔部に係合する係合部とを有し、
前記蓋部材の中空部は、前記ランプ収納部の前記蓋部材側の表面の少なくとも全ての領域に対応する領域に設けられている、プロジェクタ。
【請求項２】
光源ランプと、
前記光源ランプが内部に収納されているランプ収納部と、
前記ランプ収納部を内部に挿入するために設けられた開口部を含む筐体と、
前記筐体の開口部を前記筐体の外部から覆うように取り付けられた蓋部材とを備え、
前記蓋部材は、実質的に密閉空間を構成する中空部を含む、プロジェクタ。
【請求項３】
前記蓋部材は、前記ランプ収納部に対向するように設けられた第１平板部と、前記第１平板部よりも前記筐体の外側に前記第１平板部と所定の間隔を隔てて対向するように設けられた第２平板部と、前記第１平板部と前記第２平板部とに交差するように形成された壁部とを一体的に含み、
前記蓋部材の実質的に密閉空間を構成する前記中空部は、前記第１平板部と前記第２平板部と前記壁部とに囲まれる領域に形成されている、請求項２に記載のプロジェクタ。
【請求項４】
前記蓋部材は、前記蓋部材の前記第１平板部と前記第２平板部とを回動可能に接続する回動接続部と、前記回動接続部により回動された前記第１平板部と前記第２平板部とを固定するための固定部とをさらに含む、請求項３に記載のプロジェクタ。
【請求項５】
前記蓋部材の固定部は、前記第１平板部および前記第２平板部の一方に設けられた係合孔部と、前記第１平板部および前記第２平板部の他方に設けられ、前記係合孔部に係合する係合部とを有する、請求項４に記載のプロジェクタ。
【請求項６】
前記蓋部材の中空部は、前記ランプ収納部の前記蓋部材側の表面の少なくとも全ての領域に対応する領域に設けられている、請求項２〜５のいずれか１項に記載のプロジェクタ。
【発明の詳細な説明】
【技術分野】
【０００１】
この発明は、プロジェクタに関し、特に、光源ランプとランプ収納部とを備えたプロジェクタに関する。
【背景技術】
【０００２】
従来、光源ランプとランプ収納部とを備えたプロジェクタが知られている（たとえば、特許文献１〜３参照）。
【０００３】
上記特許文献１には、プロジェクタ用ランプ（光源ランプ）と、熱遮蔽部を有するランプハウス（ランプ収納部）と、空気を排出する排気ファンおよび空気を取り込むためのシロッコファンとを備えたプロジェクタ装置が開示されている。この熱遮蔽部は、ランプハウスの上部および両側部に設けられている。また、熱遮蔽部には、シロッコファンにより空気が流入されるとともに排気ファンにより空気が排出される空気の流路が設けられている。この流路は、プロジェクタ用ランプの熱を遮蔽する機能を有する。
【０００４】
また、上記特許文献２には、光源（光源ランプ）と、光源および光学素子が収納された光源ランプユニットと、光源ランプユニットに空気を送るとともに光源ランプユニットの内部を一定の温度に保持する機能を有する冷却ファンとを備えた投射型表示装置（プロジェクタ）が開示されている。
【０００５】
また、上記特許文献３には、ランプ（光源ランプ）と、ランプおよび光学ユニットが収納された投射ユニットとを備えた画像表示装置が開示されている。また、ランプおよび光学ユニットは、平板状の基板に配置されている。
【０００６】
【特許文献１】特開２００６−２２７０５２号公報
【特許文献２】特開２００３−３３７３８０号公報
【特許文献３】特開２０００−３２１６６９号公報
【発明の開示】
【発明が解決しようとする課題】
【０００７】
しかしながら、上記特許文献１に開示されたプロジェクタ装置では、熱遮蔽部は、ランプハウス（ランプ収納部）の上部および両側部に設けられているため、ランプハウス内にプロジェクタ用ランプを挿入するのは、ランプハウスの下側であると考えられる。この場合、特許文献１には、ランプハウスの下部を断熱する構造が開示されていないので、ランプハウスの下部近傍は、高温になると考えられる。したがって、プロジェクタ装置を使用する際に、プロジェクタ用ランプの下部近傍に設けられたプロジェクタ用ランプを挿入する部分に取り付けられた蓋などの外側部分が高温になるという問題点があると考えられる。
【０００８】
また、上記特許文献２および特許文献３に開示されたプロジェクタおよび画像表示装置では、明記はされていないが、光源ランプを交換する際に光源ランプを挿入するための開口部および蓋などが筐体の光源ランプの近傍に設けられていると考えられる。この場合、特許文献２および３には、光源ランプを挿入する部分近傍において、光源ランプが発する熱をプロジェクタの外部と遮蔽する構造が開示されていないため、光源ランプを挿入する部分の近傍は、高温になると考えられる。したがって、プロジェクタおよび画像表示装置を使用する際に、光源ランプの近傍に設けられた光源ランプを挿入する部分に取り付けられた蓋などの外側部分が高温になるという問題点があると考えられる。
【０００９】
この発明は、上記のような課題を解決するためになされたものであり、この発明の１つの目的は、光源ランプを挿入する部分に取り付けられた部材の外側部分が高温になるのを抑制することが可能なプロジェクタを提供することである。
【課題を解決するための手段および発明の効果】
【００１０】
この発明の第１の局面によるプロジェクタは、光源ランプと、光源ランプが内部に収納されているランプ収納部とを備えるプロジェクタにおいて、ランプ収納部を内部に挿入するために設けられた開口部を含む筐体と、筐体の開口部を筐体に外部から覆うように取り付けられた蓋部材とをさらに備え、蓋部材は、実質的に密閉空間を構成する中空部と、ランプ収納部に対向するように設けられた第１平板部と、第１平板部よりも筐体の外側に第１平板部と所定の間隔を隔てて対向するように設けられた第２平板部と、第１平板部と第２平板部とに交差するように形成された壁部と、蓋部材の第１平板部と第２平板部とを回動可能に接続する回動接続部と、回動接続部により回動された第１平板部と第２平板部とを固定するための固定部とを含み、蓋部材の実質的に密閉空間を構成する中空部は、第１平板部と第２平板部と壁部とに囲まれる領域に形成され、蓋部材の固定部は、第１平板部および第２平板部の一方に設けられた係合孔部と、第１平板部および第２平板部の他方に設けられ、係合孔部に係合する係合部とを有し、蓋部材の中空部は、ランプ収納部の蓋部材側の表面の少なくとも全ての領域に対応する領域に設けられている。
【００１１】
この発明の第１の局面によるプロジェクタでは、上記のように、筐体の開口部を筐体の外部から覆うように取り付けられた蓋部材に、実質的に密閉空間を構成する中空部を設けることによって、光源ランプが発する熱により光源ランプが収納されているランプ収納部が高温になるとともに、蓋部材の内側部分がランプ収納部により高温になった場合にも、実質的に密閉空間を構成する中空部により蓋部材の内側部分の熱が外側部分に伝達されるのを抑制することができるので、蓋部材の外側部分が高温になるのを抑制することができる。また、蓋部材の実質的に密閉空間を構成する中空部を、第１平板部と第２平板部と壁部とに囲まれる領域に形成することによって、ランプ収納部の内部の光源ランプの熱により高温になった第１平板部と、第１平板部よりも筐体の外側に設けられた第２平板部との間に、容易に、中空部を設けることができる。
【００１２】
また、第１の局面では、蓋部材に、蓋部材の第１平板部と第２平板部とを回動可能に接続する回動接続部と、回動接続部により回動された第１平板部と第２平板部とを固定するための固定部とを設けることによって、回動接続部と固定部とにより、中空部を含む蓋部材を容易に組み立てることが可能な蓋部材を一体的に設けることができるので、部品点数が増加するのを抑制することができる。また、蓋部材の固定部に、第１平板部および第２平板部の一方に設けられた係合孔部と、第１平板部および第２平板部の他方に設けられ、係合孔部に係合する係合部とを設けることによって、係合孔部と係合部とを用いて、容易に、第１平板部と第２平板部とを固定することができる。また、蓋部材の中空部を、少なくとも、ランプ収納部の蓋部材側の表面の実質的に全ての領域に対応する領域に設けるとによって、ランプ収納部の内部に設けられている光源ランプの熱によりランプ収納部の蓋部材側の表面の実質的に全ての領域が高温になった場合にも、ランプ収納部の蓋部材側の表面の実質的に全ての領域に対応する領域に設けられた蓋部材の中空部により、蓋部材のランプ収納部側の熱が遮断されるので、蓋部材の外側部分が高温になるのをより有効に抑制することができる。
【００１３】
この発明の第２の局面によるプロジェクタは、光源ランプと、光源ランプが内部に収納されているランプ収納部と、ランプ収納部を内部に挿入するために設けられた開口部を含む筐体と、筐体の開口部を筐体の外部から覆うように取り付けられた蓋部材とを備え、蓋部材は、実質的に密閉空間を構成する中空部を含む。
【００１４】
この発明の第２の局面によるプロジェクタでは、上記のように、筐体の開口部を筐体の外部から覆うように取り付けられた蓋部材に、実質的に密閉空間を構成する中空部を設けることによって、光源ランプが発する熱により光源ランプが収納されているランプ収納部が高温になるとともに、蓋部材の内側部分がランプ収納部により高温になった場合にも、実質的に密閉空間を構成する中空部により蓋部材の内側部分の熱が外側部分に伝達されるのを抑制することができるので、蓋部材の外側部分が高温になるのを抑制することができる。
【００１５】
上記第２の局面によるプロジェクタにおいて、好ましくは、蓋部材は、ランプ収納部に対向するように設けられた第１平板部と、第1平板部よりも筐体の外側に第１平板部と所定の間隔を隔てて対向するように設けられた第２平板部と、第１平板部と第２平板部とに交差するように形成された壁部とを一体的に含み、蓋部材の実質的に密閉空間を構成する中空部は、第１平板部と第２平板部と壁部とに囲まれる領域に形成されている。このように構成すれば、ランプ収納部の内部の光源ランプの熱により高温になった第１平板部と、第１平板部よりも筐体の外側に設けられた第２平板部との間に、容易に、中空部を設けることができる。
【００１６】
上記蓋部材は第１平板部と第２平板部と壁部とを一体的に含むプロジェクタにおいて、好ましくは、蓋部材は、蓋部材の第１平板部と第２平板部とを回動可能に接続する回動接続部と、回動接続部により回動された第１平板部と第２平板部とを固定するための固定部とをさらに含む。回動接続部と固定部とにより、中空部を含む蓋部材を容易に組み立てることが可能な蓋部材を一体的に設けることができるので、部品点数が増加するのを抑制することができる。
【００１７】
上記蓋部材は第１平板部と第２平板部とを固定するための固定部を含むプロジェクタにおいて、好ましくは、蓋部材の固定部は、第１平板部および第２平板部の一方に設けられた係合孔部と、第１平板部および第２平板部の他方に設けられ、係合孔部に係合する係合部とを有する。このように構成すれば、係合孔部と係合部とを用いて、容易に、第１平板部と第２平板部とを固定することができる。
【００１８】
上記第２の局面によるプロジェクタにおいて、好ましくは、蓋部材の中空部は、ランプ収納部の蓋部材側の表面の少なくとも全ての領域に対応する領域に設けられている。このように構成すれば、ランプ収納部の内部に設けられている光源ランプの熱によりランプ収納部の蓋部材側の表面の実質的に全ての領域が高温になった場合にも、ランプ収納部の蓋部材側の表面の実質的に全ての領域に対応する領域に設けられた蓋部材の中空部により、蓋部材のランプ収納部側の熱が遮断されるので、蓋部材の外側部分が高温になるのをより有効に抑制することができる。
【発明を実施するための最良の形態】
【００１９】
以下、本発明の実施形態を図面に基づいて説明する。
【００２０】
図１は、本発明の一実施形態によるプロジェクタの全体構成を示した斜視図である。図２〜図１２は、図１に示した本発明の一実施形態によるプロジェクタの詳細構造を説明するための図である。まず、図１〜図１２を参照して、本発明の一実施形態によるプロジェクタの構造について説明する。
【００２１】
本発明の一実施形態によるプロジェクタは、図１に示すように、前部フレーム１、後部フレーム２、上部フレーム３および下部フレーム４を備えている。また、前部フレーム１の一方側（矢印Ａ方向側）の部分には、映像を投影するための投影レンズ５が挿入されるレンズ挿入部１ａが形成されている。また、下部フレーム４の一方側（矢印Ａ方向側）の側面には、空気を取り入れるための吸気口（図示せず）が設けられるとともに、他方側（矢印Ｂ方向側）の側面には、空気を排出するための排出口４ａが設けられている。なお、前部フレーム１、後部フレーム２、上部フレーム３および下部フレーム４によって筐体６が構成されている。
【００２２】
ここで、本実施形態では、下部フレーム４には、図２および図３に示すように、下部フレーム４の前部フレーム１（図１参照）側に、かつ、矢印Ｂ方向側に開口部４ｂが設けられている。この開口部４ｂは、光源ランプ７が内部に収納されて装着されているランプ収納部８をプロジェクタの内部に挿入するために設けられている。また、開口部４ｂの矢印Ｂ方向側には、図１１に示すように、矢印Ａ方向に延びる板状部分に設けられた係合孔部４ｃが設けられている。また、開口部４ｂの矢印Ａ方向側には、一対の係合部４ｄおよび４ｅが設けられている。また、開口部４ｂの係合部４ｄと係合部４ｅとの間には、係合部４ｆが設けられている。これら開口部４ｂの係合孔部４ｃと、係合部４ｄ、４ｅおよび４ｆとは、後述する蓋部材１１を下部フレーム４に取り付けるために設けられている。
【００２３】
光源ランプ７は、図３に示すように、光源としてのガラス製のバルブ７ａと、バルブ７ａが発する光を反射して集光するための金属製のリフレクタ７ｂとを含む。また、光源ランプ７は、ランプ収納部８の内部に装着されている。また、光源ランプ７は、光源ランプ７が点灯している場合に、非常に高温になるため、ランプ収納部８は、ＰＰＳ樹脂（ポリフェニレンサルファイド樹脂）（耐熱温度：約２４０℃）により形成されている。また、ランプ収納部８は、図２および図３に示すように、キャスティング９に取り付けられている。
【００２４】
具体的には、キャスティング９は、下部フレーム４に固定されている。また、キャスティング９は、マグネシウムからなり、キャスティング９の内部には、図示しない光学ユニットが配置されている。また、ランプ収納部８のキャスティング９側（矢印Ａ方向側）には、図４および図５に示すように、２つのボス部８ａが設けられている。また、ランプ収納部８の２つのボス部８ａの下方には、ネジ挿入穴８ｂが形成されている。また、キャスティング９のランプ収納部８側（矢印Ｂ方向側）には、２つのボス部８ａに対応する部分に２つの挿入穴部９ａが形成されるとともに、ネジ挿入穴８ｂに対応する部分にネジ穴９ｂが形成されている。そして、ランプ収納部８は、２つのボス部８ａがそれぞれキャスティング９の挿入穴部９ａに挿入されるとともに、ネジ部材１０がネジ挿入穴８ｂに挿入され、ネジ穴９ｂに螺合されることによりキャスティング９に取り付けられている。
【００２５】
また、キャスティング９に取り付けられているランプ収納部８は、図５に示すように、下部フレーム４および後述する蓋部材１１のランプ収納部８側の面から所定の距離を隔てて配置されている。
【００２６】
また、本実施形態では、下部フレーム４（筐体６）の開口部４ｂには、図６に示すように、下部フレーム４（筐体６）に外部から覆うように蓋部材１１が取り付けられている。この蓋部材１１は、ポリカーボネート樹脂により形成されている。また、蓋部材１１は、図７および図８に示すように、下部フレーム４の開口部４ｂに対して着脱可能に取り付けられている。
【００２７】
具体的には、本実施形態のプロジェクタの蓋部材１１は、図９および図１０に示すように、ランプ収納部８に対向するように設けられた内側平板部１１ａと、内側平板部１１ａよりも筐体６の外側に内側平板部１１ａと所定の距離を隔てて対向するように設けられた外側平板部１１ｂと、内側平板部１１ａと外側平板部１１ｂとに直交（交差）するように形成された壁部１１ｃおよび１１ｄと、内側平板部１１ａに設けられた３つの爪部１１ｅ、１１ｆおよび１１ｇとを含む。なお、内側平板部１１ａは、本発明の「第１平板部」の一例であり、外側平板部１１ｂは、本発明の「第２平板部」の一例である。また、爪部１１ｆと１１ｇとの間には、係合面１１ｈが形成されている。爪部１１ｅには、係合孔部４ｃが係合し、爪部１１ｆには、係合部４ｄが係合し、爪部１１ｇには、係合部４ｅが係合するように構成されている。また、係合面１１ｈには、係合部４ｆが係合されている。
【００２８】
また、蓋部材１１は、図７に示すように、下部フレーム４の開口部４ｂに対して矢印Ａ方向および矢印Ｂ方向にスライドされるように構成されている。具体的には、開口部４ｂには、ガイド部４ｇが形成されており、蓋部材１１の外側平板部１１ｂの内側平板部１１ａ側は、ガイド部４ｇに当接しながら蓋部材１１のスライド方向（矢印Ａ方向および矢印Ｂ方向）に沿ってガイドされるように構成されている。
【００２９】
また、蓋部材１１には、図９および図１０に示すように、外側平板部１１ｂよりも矢印Ａ方向側に突出した突出部分１１ｉが形成されている。この突出部分１１ｉは、図７に示すように、下部フレーム４の開口部４ｂに設けられた挿入穴部４ｈに挿入されるように構成されている。
【００３０】
ここで、本実施形態では、蓋部材１１には、図５および図９に示すように、実質的に密閉空間を構成する中空部１１ｊが設けられている。具体的には、実質的に密閉空間を構成する中空部１１ｊは、内側平板部１１ａと外側平板部１１ｂと壁部１１ｃおよび１１ｄとに囲まれる領域に形成されている。この中空部１１ｊは、内側平板部１１ａと壁部１１ｃおよび１１ｄとの間に実質的に隙間がないように構成されるとともに、外側平板部１１ｂと壁部１１ｃおよび１１ｄとの間に実質的に隙間がないように構成されている。すなわち、蓋部材１１の中空部１１ｊは、断熱機能を有するように構成されているため、蓋部材１１の近傍に設けられているランプ収納部８（光源ランプ７）からの熱により内側平板部１１ａが高温になった場合にも、ランプ収納部８からの熱を遮断して外側平板部１１ｂが高温になるのを抑制することが可能となる。
【００３１】
また、本実施形態では、蓋部材１１は、図１２に示すように、内側平板部１１ａと外側平板部１１ｂとを回動可能に接続する２つの回動接続部１１ｋを回動軸としてＣ方向に折りたたむことによって形成されている。２つの回動接続部１１ｋは、内側平板部１１ａおよび外側平板部１１ｂに一体的に形成されている。また、２つの回動接続部１１ｋは、それぞれ、内側平板部１１ａおよび外側平板部１１ｂの厚みよりも小さい厚みを有するように構成されている。つまり、回動接続部１１ｋは、容易に回動されるように構成されている。また、蓋部材１１には、回動された内側平板部１１ａと外側平板部１１ｂとを固定するための固定部１１ｌが設けられている。固定部１１ｌは、壁部１１ｄに設けられた一対の係合孔部１１ｍと、外側平板部１１ｂに設けられ、係合孔部１１ｍに係合する係合部１１ｎとを含む。つまり、蓋部材１１は、内側平板部１１ａと外側平板部１１ｂとを回動接続部１１ｋを中心としてＣ方向に折りたたむとともに、固定部１１ｌの係合部１１ｎを係合孔部１１ｍに係合させることにより形成されている。
【００３２】
また、本実施形態では、蓋部材１１の中空部１１ｊは、図３および図５に示すように、ランプ収納部８の蓋部材１１側の表面８ｃ（図５参照）の全ての領域を含み、かつ、それよりも大きい領域に設けられている。また、平面的に見手、ランプ収納部８が配置される領域を全て含む領域に蓋部材１１の中空部１１ｊが設けられている。これにより、蓋部材１１の中空部１１ｊは、光源ランプ７の熱によりランプ収納部８が高温になった場合にも、ランプ収納部８の表面８ｃ（図５参照）の熱が遮断されるので、蓋部材１１の外側平板部１１ｂが高温になるのを抑制することが可能である。
【００３３】
本実施形態では、上記のように、下部フレーム４（筐体６）の開口部４ｂを下部フレーム４の外部から覆うように取り付けられた蓋部材１１に、実質的に密閉空間を構成する中空部１１ｊを形成することによって、光源ランプ７が発する熱により高温になり、光源ランプ７が収納されているランプ収納部８が高温になるとともに、蓋部材１１の内側平板部１１ａが、ランプ収納部８により高温になった場合にも、実質的に密閉空間を構成する中空部１１ｊにより蓋部材１１の内側平板部１１ａの熱が外側平板部１１ｂに伝達されるのを抑制することができるので、蓋部材１１の外側平板部１１ｂが高温になるのを抑制することができる。
【００３４】
また、本実施形態では、蓋部材１１の実質的に密閉空間を構成する中空部１１ｊを、内側平板部１１ａと外側平板部１１ｂと壁部１１ｃおよび１１ｄとに囲まれる領域に形成することによって、ランプ収納部８の内部の光源ランプ７の熱により高温になった内側平板部１１ａと、内側平板部１１ａよりも下部フレーム４の外側に設けられた外側平板部１１ｂとの間に、容易に、中空部１１ｊを設けることができる。
【００３５】
また、本実施形態では、蓋部材１１に、蓋部材１１の内側平板部１１ａと外側平板部１１ｂとを回動可能に接続する回動接続部１１ｋと、回動接続部１１ｋにより回動された内側平板部１１ａと外側平板部１１ｂとを固定するための固定部１１ｌとを設けることによって、回動接続部１１ｋと固定部１１ｌとにより、中空部１１ｊを含む蓋部材１１を容易に組み立てることが可能な蓋部材１１を一体的に設けることができるので、部品点数が増加するのを抑制することができる。
【００３６】
また、本実施形態では、蓋部材１１の固定部１１ｌに、内側平板部１１ａに直交するように一体的に形成された壁部１１ｄに設けられた係合孔部１１ｍと、外側平板部１１ｂに設けられ、係合孔部１１ｍに係合する係合部１１ｎとを設けることによって、係合孔部１１ｍと係合部１１ｎとを用いて、容易に、内側平板部１１ａと外側平板部１１ｂとを固定することができる。
【００３７】
また、本実施形態では、蓋部材１１の中空部１１ｊを、ランプ収納部８の蓋部材１１側の表面８ｃの全ての領域を含み、かつ、表面８ｃよりも大きい領域に設けるとによって、ランプ収納部８の内部に設けられている光源ランプ７の熱によりランプ収納部８の蓋部材１１側の表面８ｃの実質的に全ての領域が高温になった場合に、ランプ収納部８の蓋部材１１側の表面８ｃの全ての領域を含み、かつ、表面８ｃよりも大きい領域に設けられた蓋部材１１の中空部１１ｊにより、蓋部材１１のランプ収納部８側の内側平板部１１ａの熱が遮断されるので、蓋部材１１の外側平板部１１ｂが高温になるのをより有効に抑制することができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記実施形態では、中空部を内側平板部と外側平板部と壁部とに囲まれる領域に設け、壁部と外側平板部とが当接するようにして密閉した例を示したが、本発明はこれに限らず、壁部と外側平板部との間にゴムなどのシール部材を設けて密閉してもよい。
【００４０】
また、上記実施形態では、内側平板部と外側平板部と壁部と固定部とを一体的に形成することにより蓋部材を構成した例を示したが、本発明はこれに限らず、内側平板部と外側平板部と壁部と固定部とを一体的に形成せずに複数の部材を接合することにより蓋部材を構成するようにしてもよい。
【００４１】
また、上記実施形態では、蓋部材を筐体と別体で設けた例を示したが、本発明はこれに限らず、蓋部材を筐体と一体的に設けるようにしてもよい。
【図面の簡単な説明】
【００４２】
【図１】本発明の一実施形態によるプロジェクタの全体構成を示した斜視図である。
【図２】図１に示した本発明の一実施形態によるプロジェクタのランプ収納部付近の構造を示した部分斜視図である。
【図３】図１に示した本発明の一実施形態によるプロジェクタのランプ収納部付近の構造を示した平面図である。
【図４】図１に示した本発明の一実施形態によるプロジェクタのランプ収納部とキャスティングとの取付構造を示した斜視図である。
【図５】図１に示した本発明の一実施形態によるプロジェクタの蓋部材と下部フレームとの取付構造を示した断面図である。
【図６】図１に示した本発明の一実施形態によるプロジェクタの蓋部材が下部フレームに取り付けられた状態を示した斜視図である。
【図７】図１に示した本発明の一実施形態によるプロジェクタの蓋部材の下部フレームに対する取付構造を示した斜視図である。
【図８】図１に示した本発明の一実施形態によるプロジェクタの蓋部材の下部フレームに対する取付構造を示した分解斜視図である。
【図９】図１に示した本発明の一実施形態によるプロジェクタの蓋部材の構造を詳細に説明するための平面図である。
【図１０】図１に示した本発明の一実施形態によるプロジェクタの蓋部材の構造を詳細に説明するための斜視図である。
【図１１】図１に示した本発明の一実施形態によるプロジェクタの下部フレームの開口部の構造を詳細に説明するための斜視図である。
【図１２】図１に示した本発明の一実施形態によるプロジェクタの蓋部材の構造を詳細に説明するための斜視図である。
【符号の説明】
【００４３】
４  下部フレーム
４ｂ  開口部
６  筐体
７  光源ランプ
８  ランプ収納部
８ｃ  表面
１１  蓋部材
１１ａ  内側平板部（第１平板部）
１１ｂ  外側平板部（第２平板部）
１１ｃ、１１ｄ  壁部
１１ｊ  中空部
１１ｋ  回動接続部
１１ｌ  固定部
１１ｍ  係合孔部
１１ｎ  係合部
【図１】
2008164917.tif 000003
【図２】
2008164917.tif 000004
【図３】
2008164917.tif 000005
【図４】
2008164917.tif 000006
【図５】
2008164917.tif 000007
【図６】
2008164917.tif 000008
【図７】
2008164917.tif 000009
【図８】
2008164917.tif 000010
【図９】
2008164917.tif 000011
【図１０】
2008164917.tif 000012
【図１１】
2008164917.tif 000013
【図１２】
2008164917.tif 000014